(57)【要約】【課題】  コンパクトな形状で嵩張ることがないクラッカーを提供する。【解決手段】  開閉自在な蓋片を有するクラッカー本体と、このクラッカー本体内に配置された火薬体と、前記クラッカー本体から導出され、その引張り操作により前記火薬体を爆発させる引き紐とを備え、前記クラッカー本体は、台紙を該台紙から前記引き紐を導出させた状態で該台紙によって前記火薬体を覆うようにして扁平に折畳んで形成されている。【選択図】      図１
2006342986.tif 000002
【特許請求の範囲】
【請求項１】
開閉自在な蓋片を有するクラッカー本体と、このクラッカー本体内に配置された火薬体と、クラッカー本体から導出され、その引張り操作により火薬体を爆発させる引き紐とを備え、
クラッカー本体は、扁平に形成されていることを特徴とするクラッカー。
【請求項２】
クラッカー本体は、台紙を該台紙から引き紐を導出させた状態で該台紙によって火薬体を包むようにして折畳んで形成されていることを特徴とする請求項１に記載のクラッカー。
【請求項３】
火薬体は、引き紐の引張り操作時にその引張り方向に移動しないように台紙の内側に保持されていることを特徴とする請求項２に記載のクラッカー。
【請求項４】
火薬体を保持するための手段として、台紙に切り欠きが形成され、該切欠きに火薬体を係合させて切欠きにおける台紙の縁部によって引き紐の引張り操作時に火薬体を係止することを特徴とする請求項３に記載のクラッカー。
【請求項５】
クラッカー本体は、側縁部で互いに折畳み自在に連結された下端部を頂点とする三角形状の複数の本体片と、これらの本体片のいずれか１つの上端部に連結された蓋片とを備え、複数の本体片は、火薬体を包むようにして折畳まれ、蓋片は、折畳み状態の複数の本体片に重なるようにして折畳まれてこの状態において対峙する本体片に止着され、該蓋片によりクラッカー本体の折畳み状態が保持されていることを特徴とする請求項２に記載のクラッカー。
【請求項６】
本体片の側縁部に火薬体を保持するための切欠きを有する保持片が連結され、該切欠きに火薬体を係合させて切欠きにおける台紙の縁部によって引き紐の引張り操作時に火薬体を係止することを特徴とする請求項５に記載のクラッカー。
【請求項７】
蓋片が、折畳み状態の複数の本体片に重なるようにして折畳まれた状態において対峙する本体片に設けられた差込口に抜差し自在に差込み係止されていることを特徴とする請求項５に記載のクラッカー。
【発明の詳細な説明】
【技術分野】
【０００１】
本発明は、パーティー等において雰囲気を盛り上げるために用いられるクラッカーに関する。
【背景技術】
【０００２】
この種のクラッカーは、例えば中空円錐状に形成されたクラッカー本体の内部に火薬体が収容されるとともに、この火薬体に連設された引き紐がクラッカー本体から導出され、この引き紐を引張り操作することにより火薬体が爆発するようになっている。（例えば、特許文献１参照）
【０００３】
【特許文献１】特開平８−２１９６９４号公報
【発明の開示】
【発明が解決しようとする課題】
【０００４】
ところで、従来のクラッカーにおいては、クラッカー本体が中空円錐状に形成されているため、製造後、保管箱内に収納する際に、クラッカー本体が嵩張って保管箱内に収納できるクラッカーの数が少なくならざるを得ない。そのため、クラッカーの保管及び輸送に大きなスペースが必要となり、保管効率及び輸送効率が悪いという問題があった。
【０００５】
そこで、本発明は、このような問題を解決するためになされたもので、コンパクトな形状で嵩張ることがないクラッカーを提供することを目的とする。
【課題を解決するための手段】
【０００６】
上記目的を達成するため、本発明に係るクラッカーは、開閉自在な蓋片を有するクラッカー本体と、このクラッカー本体内に配置された火薬体と、前記クラッカー本体から導出され、その引張り操作により前記火薬体を爆発させる引き紐とを備え、前記クラッカー本体は、扁平に形成されていることを特徴としている。
【０００７】
本発明のクラッカーによると、クラッカー本体を扁平に形成することにより、クラッカー本体がコンパクト形状で嵩張ることがない。従って、クラッカー製造後、クラッカーを保管箱内に収納する際に、保管箱内に収納できるクラッカーの数を大幅に増やすことが可能である。
【０００８】
また、クラッカー本体は、台紙を該台紙から前記引き紐を導出させた状態で該台紙によって火薬体を包むように折畳んで形成されている。これにより、クラッカー本体の形成に伴ってクラッカー本体内に火薬体を配置することができる。従って、クラッカー本体の作製とそのクラッカー本体内への火薬体の収容とを一工程で済ませることができ、クラッカーの製造工数を削減することが可能である。
【０００９】
また、火薬体は、引き紐の引張り操作時にその引張り方向に移動しないように台紙の内側に保持されている。火薬体を保持するための手段として、台紙に切り欠きが形成され、該切欠きに火薬体を係合させて切欠きにおける台紙の縁部によって引き紐の引張り操作時に火薬体を係止する。これにより、引き紐を引張り操作すると、引き紐の引張り方向へ移動しないように保持されている火薬体に対して引き紐が摺動し、この引き紐の摺動摩擦によって火薬体が爆発する。従って、引き紐を引張り操作することにより火薬体を確実に爆発させることが可能である。
【００１０】
前記クラッカー本体は、側縁部で互いに折畳み自在に連結された下端部を頂点とする三角形状の複数の本体片と、これらの本体片のいずれか１つの上縁部に折畳み自在に連結された蓋片とを備え、複数の本体片は、火薬体を包むようにして折畳まれ、蓋片は、折畳み状態の複数の本体片に重なるようにして折畳まれてこの状態において対峙する本体片に止着され、該蓋片によりクラッカー本体の折畳み状態が保持されている。これにより、複数の本体片を該複数の本体片で火薬体を包むようにして折畳み、次いで、蓋片を折畳み状態の複数の本体片に重なるようにして折畳んだ後、蓋片を折畳んだ状態において対峙する本体片に止着することにより、クラッカー本体を扁平形態に形成することができる。従って、クラッカー本体を接着剤によって接着せずに成形させることができ、従来に比べて手間を要さずに簡単に製造すること可能である。
【００１１】
更に、前記本体片の側縁部に火薬体を保持するための切欠きを有する保持片が連結され、該切欠きに火薬体を係合させて切欠きにおける台紙の縁部によって引き紐の引張り操作時に火薬体を係止する。これにより、引き紐を引張り操作しても、火薬体は保持片の切欠きに保持されているので、火薬体はクラッカー本体に対して引き紐の引張り方向に移動しない。従って、引き紐を引張り操作すると、火薬体に対して引き紐が摺動してその摺動摩擦で火薬体を爆発させることが可能である。
【００１２】
更に、前記蓋片が、折畳み状態の複数の本体片に重なるようにして折畳まれた状態において対峙する本体片に設けられた差込口に抜差し自在に差込み係止されている。これにより、引き紐の引張り操作により火薬体が爆発し、火薬体の爆発による圧力が蓋片に作用すると、蓋片は差込口から抜け出して勢いよく開かれ、爆発音を放出させることが可能である。
【発明の効果】
【００１３】
以上説明したように、本発明のクラッカーは、製造後、保管箱内に収納する際に、保管箱内に収納できるクラッカーの数を大幅に増やすことが可能であるから、クラッカーの保管時及び輸送時のスペースが少なくて済み、保管効率及び輸送効率を向上することができて経済的である。
【発明を実施するための最良の形態】
【００１４】
以下、本発明の実施形態を図面に基づき説明する。図１乃至図６は本発明の一実施形態のクラッカーＡを示す。このクラッカーＡは、三角形状の扁平な巻き袋状のクラッカー本体１０の内部に火薬体２０を収容し、火薬体２０に連設された引き紐２１をクラッカー本体１０の下端部から外部に導出させたものである。
【００１５】
クラッカー本体１０は、図５に示す如き、１枚の平板状の台紙１１からなり、この台紙１１を折畳むことによって三角形状の扁平な巻き袋状に形成される。
【００１６】
台紙１１は、下端部を頂点とする三角形状の本体片、即ち、表面片１２と、この表面片１２の一方の傾斜側縁（図５中の左方の傾斜側縁）に折畳み自在に連結され、表面片１２と略同一の大きさ及び形状の本体片、即ち、裏面片１３と、表面片１２の他方の傾斜側縁（図５中の右方の傾斜側縁）に折畳み自在に連結され、表面片１２及び裏面片１３と略同一の大きさ及び形状の本体片、即ち、中間片１４と、その中間片１４の表面片１２と連結する反対側の傾斜側縁（図５中の右方の傾斜側縁）に折畳み自在に連結された略台形形状の保持片１５と、表面片１２の上端縁に折畳み自在に連結された上端部を頂点とする三角形状の蓋片１６とを備えている。尚、台紙１１の内面には図示されていないがマンガの人気キャラクター等のイラストや動物、風景等の絵や宣伝等のメッセージ等が描かれている。
【００１７】
裏面片１３は、適宜の位置に蓋片１６の先端部１６ａが差込み可能な波形状の差込口１７を設けている。
【００１８】
保持片１５は、上端側に上方に開口する縦長の切欠き１８を設け、この切欠き１８に火薬体２０を係合して保持する。即ち、切欠き１８における保持片１５の縁部で火薬体２０の下端を係止して火薬体２０が下方に移動しないようになっている。切欠き１８の上端部には、上部側を保持片１５の上端縁から半円状に大きく切欠いた半円状部１８ａを設けて火薬体２０が爆発し易い形状としてある。
【００１９】
蓋片１６は、折畳み状態の表面片１２及び裏面片１３のうちの裏面片１３上に折り重ねられてその表面片１２及び裏面片１３の上端部を閉塞させるものである。蓋片１６は、折畳み状態の表面片１２及び裏面片１３のうちの裏面片１３上に折り重ねられた状態において、先端部１６ａを裏面片１３に設けられた差込口１７に差込み係止させることにより、表面片１２及び裏面片１３の折畳み状態を保持しながらその上端部を閉塞する。
【００２０】
火薬体２０は、所定量の火薬を薄い紙等で棒状に巻装して形成した公知のものであり、その内部に適宜の長さの引き紐２１が通し付けて連設されている。引き紐２１は、クラッカー本体１０の下端部から外部に導出されており、この引き紐２１を引張り操作することによって火薬体２０が爆発するようになっている。
【００２１】
クラッカーＡは、図６に示すようにして製造される。即ち、先ず、台紙１１の保持片１５の切欠き１８に火薬体２０を係合して保持させるとともに、火薬体２０に連設された引き紐２１を台紙１１の保持片１５の下方に導出させる（図６［ａ］参照）。場合により火薬体１０を更に図示しない接着テープで台紙１１の保持片１５に止着させることもある。この状態において、台紙１１の保持片１５を中間片１４との連結部において折返して中間片１４の内面側に折畳む（図６［ｂ］参照）。次に、台紙１１の中間片１４を表面片１２との連結部において折返して保持片１５とともに表面片１２の内面側に折畳む（図６［ｃ］参照）。更に、台紙１１の裏面片１３を表面片１２との連結部において折返して表面片１２との間に中間片１４及び保持片１５を挟むように中間片１４上に折畳む（図６［ｄ］参照）。この後、蓋片１６を表面片１２との連結部において折返して折畳み状態の表面片１２及び裏面片１３の上端部を閉塞するように裏面片１３上に折畳んだ後、蓋片１６の先端部１６ａを裏面片１３の差込口１７に差込み係止させてクラッカー本体１０を成形することにより、クラッカー本体１０内に火薬体２０が包まれて収容されたクラッカー本体Ａが製造される。
【００２２】
クラッカーＡは前述の如く構成されており、次にその使用要領について説明する。クラッカー本体１０を片手で把持した状態で、他方の手で引き紐２１を掴んで引張り操作する。すると、クラッカー本体１０の保持片１５に係合されて移動が阻止されている火薬体２０に対して引き紐２１が摺動し、この引き紐２１の摺動摩擦によって火薬体２０が爆発される。火薬体２０の爆発による圧力はクラッカー本体１０の蓋片１６に作用し、蓋片１６は先端部１６ａを差込口１７から抜き出して勢いよく開かれ、爆発音が放出される。
【００２３】
クラッカーＡによると、クラッカー本体１０を扁平形態に形成したから、クラッカー本体１０がコンパクト形状で嵩張ることがない。このようにクラッカー本体１０がコンパクト形状で嵩張ることがないので、製造後、保管箱内に収納する際に、保管箱内に収納できるクラッカーの数を大幅に増やすことができる。これにより、クラッカーＡの保管時及び輸送時のスペースが少なくて済み、保管効率及び輸送効率を向上することができて経済的である。
【００２４】
また、クラッカーＡによると、クラッカー本体１０を台紙１１を該台紙１１によって火薬体２０を包みようにして折畳んで形成しているから、クラッカー本体１０を形成と同時に台紙１１で火薬体２０を包んでクラッカー本体１０の内部に火薬体２０を収容させた状態にできるから、クラッカー本体１０の作製とそのクラッカー本体１０の内部への火薬体２０の収容とが１つの工程となり、クラッカーの製造工数を削減してクラッカーの製造における作業性や生産性の向上並びに製造コストの低減を可能にする。
【００２５】
また、クラッカーAによると、クラッカー本体１０は台紙１１を折畳んで蓋片１６を裏面片１３に差込み係止により止着させただけのものであるから、使用後、クラッカー本体１０を容易に展開することができる。従って、使用後もクラッカー本体１０を展開して台紙１１の内面に描かれているマンガの人気キャラクター等のイラストや動物、風景等の絵や宣伝等のメッセージ等を眺めて楽しむことができる。因みに、クラッカー本体１０が差込み係止による止着ではなくて接着剤による強固な接着である場合、クラッカー本体１０を展開するのに非常に手間を要するという不都合があるので、使用後にクラッカー本体１０を展開して台紙１１の内面に描かれているマンガの人気キャラクター等のイラストや動物、風景等の絵や宣伝等のメッセージ等を眺めて楽しもうという気持ちは起こらない。
【００２６】
尚、クラッカーＡでは、引き紐２１の引張り時に火薬体２０を引き紐２１の引張り方向に移動しないように保持するため、クラッカー本体１０の台紙１１における保持片１５に切欠き１８を設け、この切欠き１８に火薬体２０を係合することにより保持しているが、切欠き１８以外の火薬体２０をクラッカー本体１０の台紙１１における保持片１５に保持させる手段を用いるようにしてもよい。例えば、図７に示すように、クラッカー本体１０の台紙１１における保持片１５の内面側に火薬体２０を接着テープ１９で取付けることにより、クラッカー本体１０の保持片１５に火薬体２０を引き紐２１の引張り時にその引張り方向に移動しないように保持する。
【００２７】
また、クラッカーＡでは、クラッカー本体１０の保持片１５に設けた切欠き１８の上部側に火薬体２０が爆発し易いように保持片１５の上端縁から半円状に大きく切欠いた半円状部１８ａを設けているが、必ずしも切欠き１８の上部側に半円状部１８ａを設ける必要はない。
【００２８】
また、クラッカーＡでは、クラッカー本体１０に中間片１４を設けているが、必ずしもクラッカー本体１０には中間片１４を設ける必要はない。クラッカー本体１０に中間片１４を設けない場合は、クラッカー本体１０の台紙１１において表面片１２の他方の傾斜側縁に保持片１６を連結し、保持片１５を表面片１２と裏面片１３との挟み込むようにして折畳む。
【００２９】
更に、クラッカーAでは、クラッカー本体１０の裏面片１３に設けた差込口１７を波形状に形成しているが、差込口１７は必ずしも波形状に形成する必要はなく、波形状以外の蓋片１６の先端部１６ａを差込み係止させることができる形状、例えば、直線状、山形状等に形成してもよい。
【００３０】
また、クラッカーＡでは、クラッカー本体１０の蓋片１６の先端部１６ａを裏面片１３に設けた差込口１７に差込み係止するようにしているが、差込み係止させる以外にも例えば火薬体の爆発時に剥がれるように蓋片１６を接着剤や接着テープによって裏面片１３に止着してもよい。
【００３１】
以上、本発明の実施形態のクラッカーＡについて説明したが、本発明は前記実施形態のクラッカーＡに限定されるものではない。以下に、本発明の他の実施形態について説明する。
【００３２】
図８及び図９に示す実施形態のクラッカーＢは、火薬体２０が三角形状の扁平な二つ折りのクラッカー本体３０内に配置され、火薬体２０に連設された引き紐２１がクラッカー本体３０の上端部から外部に導出されたものである。
【００３３】
クラッカー本体３０は、図９に示す如き、１枚の平板状の台紙３１からなり、この台紙３１を二つ折りに折畳むことによって扁平な三角形状に形成される。
【００３４】
台紙３１は、下端部を頂点とする三角形状の本体片３２と、この本体片３２の上端縁に折畳み自在に連結された上端部を頂点とする三角形状の蓋片３３とを備えている。本体片３２は、所定の位置に蓋片３３の先端部３３ａが差込み可能なU字形状の差込口３４を設けている。また、本体片３２と蓋片３３との連結部における中央部には、火薬体２０に連設された引き紐２１が挿通可能な挿通孔３５が設けられている。尚、台紙３１の内面には図示されていないがマンガの人気キャラクター等のイラストや動物、風景等の絵や宣伝等のメッセージ等が描かれている。
【００３５】
クラッカーＢは、台紙３１の本体片３２の内面側に火薬体２０を接着テープ３６によって取付けるとともに、台紙３１の挿通孔３５に火薬体２０に連設された引き紐２１を挿通させた状態で、台紙３１の蓋片３３を本体片３２との連結部において折返して本体片３２の内面側に折畳み、この後、蓋片３３の先端部３３ａを本体片３２の差込口３４に差込み係止してクラッカー本体３０を形成することにより製造される。このクラッカーＢにおいては、火薬体２０を接着テープ３６によってクラッカー本体３０の本体片３２の内面側に取付けていることにより、火薬体２０はクラッカー本体３０内で引き紐２１の引張り時にその引張り方向に移動しないように保持されている。
【００３６】
クラッカーＢは前述の如く構成されており、クラッカー本体３０の下端部分を片手で把持した状態で、他方の手で引き紐２１を掴んで引張り操作すると、火薬体２０が引き紐２１との摺動摩擦によって爆発し、火薬体２０の爆発による圧力がクラッカー本体３０の蓋片３３に作用し、蓋片３３は先端部３３ａを本体片３２の差込口３４から抜き出して勢いよく開かれ、爆発音が放出される。
【００３７】
尚、クラッカーＢでは、クラッカー本体３０の本体片３２を三角形状に形成しているが、クラッカー本体３０は三角形状以外の形状、例えば、ハート形状、舌片形状等に形成してもよい。
【００３８】
また、クラッカーＢでは、クラッカー本体３０の蓋片３３の先端部３３ａを本体片３２に設けた差込口３４に差込み係止するようにしているが、差込み係止させる以外にも例えば火薬体の爆発時に剥がれるように蓋片３３を接着剤や接着テープによって本体片３２に止着してもよい。
【００３９】
図１０及び図１１に示す実施形態のクラッカーＣは、火薬体２０が舌片形状の扁平な二つ折りのクラッカー本体４０内に配置され、火薬体２０に連設された引き紐２１がクラッカー本体４０の上端部から外部に導出されたものである。
【００４０】
クラッカー本体４０は、図１１に示す如き、１枚の平板状の台紙４１からなり、この台紙４１を二つ折りに折畳むことによって扁平な舌片形状に形成される。
【００４１】
台紙４１は、下端側が円弧状に形成された舌片形状の本体片、即ち、裏面片４２と、この裏面片４２の上端縁に折畳み自在に連結され、裏面片４２と略対称形状、即ち、上端側が円弧状に形成された舌片形状の本体片、即ち、表面片４３とを備えている。表面片４３は、所定の位置に上端部を頂点とする三角形状の蓋片４４を設けている。蓋片４４は、表面片４３に設けたＶ字状の切込み４５により形成され、表面片４３に対して折返し自在になっている。また、裏面片４２と表面片４３との連結部における中央部には、火薬体２０に連設された引き紐２１が挿通可能な挿通孔４６が設けられている。尚、台紙４１の内面には図示されていないがマンガの人気キャラクター等のイラストや動物、風景等の絵や宣伝等のメッセージ等が描かれている。
【００４２】
クラッカーＣは、台紙４１の裏面片４２の内面側に火薬体２０を接着テープ４７によって表面片４３の蓋片４４と対峙するようにして取付けるとともに、台紙４１の挿通孔４６に火薬体２０に連設された引き紐２１を挿通させた状態で、台紙４１の表面片４３を裏面片４２との連結部において折返して裏面片４２の内面側に折畳んだ後、裏面片４２と表面片４３とを止着し、この後、蓋片４４を接着テープ４８で表面片４３に止着してクラッカー本体４０を形成することにより製造される。このクラッカーＣにおいては、火薬体２０を接着テープ４７によってクラッカー本体４０の裏面片４２の内面側に取付けていることにより、火薬体２０はクラッカー本体４０内で引き紐２１の引張り時にその引張り方向に移動しないように保持されている。裏面片４２と表面片４３とは、折畳んだ状態の裏面片４２及び表面片４３の下側部分同士又は周辺部分同士を図示しない接着テープにより止着させる。尚、蓋片４４を表面片４３に止着する接着テープ４８は、火薬体２０の爆発時に容易に剥がれるようになっている。また、折畳んだ状態の裏面片４２及び表面片４３の下側部分同士又は周辺部分同士を止着する接着テープは、使用後にクラッカー本体４０を展開する際に展開し易いように剥がし易いものを使用する。
【００４３】
クラッカーＣは前述の如く構成されており、クラッカー本体４０の下側部分を片手で把持した状態で、他方の手で引き紐２１を掴んで引張り操作すると、火薬体２０が引き紐２１との摺動摩擦によって爆発し、火薬体２０の爆発による圧力がクラッカー本体４０の表面片４３における蓋片４４に作用し、蓋片４４に火薬体２０の爆発による圧力が作用することで、蓋片４４を表面片４３に止着していた接着テープ４８が外れて蓋片４４が表面片４３に対して勢いよく開き、爆発音が放出される。
【００４４】
尚、クラッカーＣでは、クラッカー本体４０の表面片４３における蓋片４４は切込み４５によって形成されて該切込み４５によって表面片４３に対して折返し自在となっているが、クラッカー本体４０の表面片４３における蓋片４４を形成する切込み４５の一部を切り残し、蓋片４４を切り残し部分で表面片４３に繋いでおいてもよい。この場合、クラッカー本体４０の表面片４３における蓋片４４が切込み４５の切り残し部分で表面片４３に繋がっているため、通常、蓋片４４は表面片４３に対して折れ曲がって開いてしまうことはないが、火薬体２０が爆発すると、その爆発による圧力で切込み４５の切り残し部分が破断して蓋片４４が表面片４３から切り離されてしまうため、蓋片４４は容易に表面片４３に対して折れ曲がって開いてしまう。このようにクラッカー本体４０の表面片４３における蓋片４４を切込み４５の切り残し部分で表面片４３に繋いでおくと、クラッカーＣの如く、蓋片４４を接着テープによって表面片４３に止着させる必要がなくなる。
【００４５】
また、クラッカーＣでは、クラッカー本体４０を舌片形状に形成しているが、クラッカー本体４０は舌片形状以外の形状、例えば、ハート形状、三角形状等に形成してもよい。
【００４６】
図１２乃至図１４に示す実施形態のクラッカーＤは、火薬体２０が扁平な三角形状のクラッカー本体５０の内部に配置され、火薬体２０に連設された引き紐２１がクラッカー本体５０の下側の一方角部（図１２中の左方角部）から外部に導出されたものである。
【００４７】
クラッカー本体５０は、図１３に示す如き、１枚の平板状の台紙５１からなり、この台紙５１を折畳むことによって扁平な三角形状に形成される。
【００４８】
台紙５１は、上端部を頂点とする三角形状の本体片、即ち、裏面片５２と、この裏面片５２の下端縁に折畳み自在に連結され、その連結部において裏面片５２と略対称形状の本体片、即ち、表面片５３と、裏面片５２の一方の傾斜側縁（図１３中の左方の傾斜側縁）に折畳み自在に連結され、その連結部において裏面片５２と略対称形状の本体片、即ち、中間片５４と、この中間片５４に折畳み自在に連結され、その連結部において中間片５４と略対称形状の保持片５５と、表面片５３の一方の斜側縁（図１３中の右方の斜側縁）に折畳み自在に連結された台形形状の差込片５６とを備えている。尚、台紙５１の内面には図示されていないがマンガの人気キャラクター等のイラストや動物、風景等の絵や宣伝等のメッセージ等が描かれている。
【００４９】
表面片５３は、裏面片５２との連結部中央から下側の角部の頂点まで切込み５７を設け、この切込み５７を境に一方半分（図１３中の左方半分）を蓋部５３ａとしている。中間片５４は、裏面片５２及び保持片５５との連結側の角部付近に舌片形状の開口部５８を設けている。保持片５５は、中間片５４に向けて折畳んだ際に中間片５４の開口部５８と対峙する位置に火薬体２０が係合可能な係合孔５９を設け、この係合孔５９に火薬体２０を係合させて保持するようになっている。
【００５０】
クラッカーＤは、図１４に示すようにして製造される。即ち、先ず、台紙５１の保持片５５の係合孔５９に火薬体２０を係合して保持させるとともに、火薬体２０に連設された引き紐２１を台紙５１の中間片５４と保持片５５との連結部の下側の端部から台紙５１の外部に延出させている（図１４［ａ］参照）。この状態において、台紙５１の保持片５５を中間片５４との連結部において折返して中間片５４の内面側に折畳む（図１４［ｂ］参照）。次に、台紙５１の中間片５４を裏面片５２との連結部において折返して保持片５５とともに裏面片５２の内面側に折畳む（図１４［ｃ］参照）。更に、台紙５１の表面片５３を裏面片５２との連結部において折返して裏面片５２との間に中間片５４及び保持片５５を挟むように中間片５４上に折畳む（図１４［ｄ］参照）。この後、台紙５１の差込片５６を表面片５３との連結部において折返して折畳み状態の裏面片５２と保持片５５との間の隙間に差込み係止するとともに、表面片５３の蓋部５３ａを折れ戻らないように接着テープ６０により止着してクラッカー本体５０を形成することにより、クラッカー本体５０内に火薬体２０が包まれて収容されたクラッカーＤが製造される。このクラッカーＤにおいては、火薬体２０を台紙５１の保持片５５の係合孔５９に係合させていることにより、クラッカー本体５０内で引き紐２１の引張り時にその引張り方向に移動しないように保持されている。尚、接着テープ６０は、火薬体２０の爆発時に容易に剥がれるようになっている。
【００５１】
クラッカーＤは前述の如く構成されており、クラッカー本体５０の引き紐２１が導出される側と反対側の下側の角部付近を片手で把持した状態で、他方の手で引き紐２１を掴んで引張り操作すると、火薬体２０が引き紐２１との摺動摩擦によって爆発し、この火薬体２０の爆発による圧力がクラッカー本体５０の中間片５４の開口部５８を介して表面片５３の蓋部５３ａに作用し、蓋部５３ａに火薬体２０の爆発による圧力が作用することで、蓋部５３ａを止着していた接着テープ６０が外れて蓋部５３ａが勢いよく開き、爆発音が放出される。
【００５２】
尚、クラッカーＤでは、火薬体２０を引き紐２１の引張り時にその引張り方向に移動しないように保持するため、クラッカー本体５０の保持片５５の係合孔５９に火薬体２０を係合して保持させているが、火薬体２０を保持片５５の係合孔５９に係合して保持させる以外にも例えば火薬体２０を接着テープや接着剤により保持片５５の内面側に取付けてもよい。
【００５３】
また、クラッカーＤでは、クラッカー本体５０に中間片５４を設けているが、必ずしもクラッカー本体５０には中間片５４を設ける必要はない。クラッカー本体５０に中間片５４を設けない場合は、クラッカー本体５０の台紙５１において表面片５２の傾斜側縁に保持片５５を折畳み自在に連結し、保持片５５を表面片５２と裏面片５３との挟むようにして折畳む。
【００５４】
以上説明したクラッカーＢ，Ｃ，ＤもクラッカーAと同様に、扁平形態に形成したクラッカー本体３０，４０，５０がコンパクト形状で嵩張ることがないので、製造後、保管箱内に収納する際に、保管箱内に収納できるクラッカーの数を大幅に増やすことができ、保管時及び輸送時のスペースが少なくて済み、保管効率及び輸送効率を向上することができて経済的である。また、クラッカー本体３０，４０，５０を形成する際に、同時に火薬体２０をクラッカー本体３０，４０，５０の内部に収容させることができるので、クラッカーの製造工数を削減してクラッカーの製造における作業性や生産性の向上並びに製造コストの低減を可能にする。更に、使用後、クラッカー本体３０，４０，５０を容易に展開することができるので、使用後もクラッカー本体３０，４０，５０を展開して台紙３１，４１，５１の内面に描かれているマンガの人気キャラクター等のイラストや動物、風景等の絵や宣伝等のメッセージ等を眺めて楽しむことができる。
【００５５】
図１５に示す実施形態のクラッカーEは、火薬体２０を二つ折りの紙製の間座部材６０に係止し、この間座部材６０を三角形状の扁平な巻き袋状のクラッカー本体７０の内部に収納するとともに、火薬体２０に連設された引き紐２１がクラッカー本体７０の下端部から外部に導出されたものである。
【００５６】
間座部材６０は、例えば厚紙をＵ字形状に二つ折りして二つの折曲片を有するとともに、その折曲部中央に火薬体２０に連設された引き紐２１を挿通し得る挿通孔（図示せず）を設けており、二つの折曲片の間に火薬体２０を介在させて引き紐２１を挿通孔に挿通するようになっている。
【００５７】
クラッカー本体７０は、厚紙で形成された円錐筒体を押し畳むことにより三角形状の扁平な巻き袋状に形成している。クラッカー本体７０は上端縁に蓋片７１を連設し、この蓋片７１で上端開口を閉塞させるようになっている。
【００５８】
クラッカーＥは、火薬体２０を係止させた間座部材６０をクラッカー本体７０の内部に収容し、火薬体２０に連設された引き紐２１をクラッカー本体７０の下端部から外部に導出させた後、クラッカー本体７０の上端開口を蓋片で閉塞するとともに、蓋片７１をクラッカー本体７０に接着テープ７２で止着することにより製造される。その際、クラッカー本体７０の内部に収納された間座部材６０は、クラッカー本体７０の下端側に向かって徐々に狭くなる内壁面により下端側への移動が規制される。これにより、間座部材６０に係止された火薬体２０は、引き紐２１の引張り時にクラッカー本体７０に対して引き紐２１の引張り方向への移動しないようになっている。
【００５９】
クラッカーＥは前述の如く構成されており、次にその使用要領について説明する。クラッカー本体７０の下端部を片手で把持した状態で、他方の手で引き紐２１を掴んで引張り操作すると、クラッカー本体７０の収容された間座部材６０に係止されて移動が規制されている火薬体２０に対して引き紐２１に引張り力が作用し、この引き紐２１の摺動摩擦によって火薬体２０が爆発し、火薬体２０の爆発による圧力は蓋片７１に作用し、蓋片７１に火薬体２０の爆発による圧力が作用することで、蓋片７１をクラッカー本体７０に止着していた接着テープ７２が外れて蓋片７１が勢いよく開き、爆発音が放出される。
【００６０】
以上説明したクラッカーＥもクラッカーA，Ｂ，Ｃ，Ｄと同様に、扁平形態に形成したクラッカー本体７０がコンパクト形状で嵩張ることがないので、製造後、保管箱内に収納する際に、保管箱内に収納できるクラッカーの数を大幅に増やすことができ、保管時及び輸送時のスペースが少なくて済み、保管効率及び輸送効率を向上することができて経済的である。
【図面の簡単な説明】
【００６１】
【図１】本発明の実施形態におけるクラッカーの正面図である。
【図２】本発明の実施形態におけるクラッカーの背面図である。
【図３】本発明の実施形態におけるクラッカーの側面図である。
【図４】図１のＺ−Ｚ線における断面図である。
【図５】図１に示すクラッカーのクラッカー本体の展開図である。
【図６】図５に示すクラッカー本体の成形順序を説明する図面である。
【図７】火薬体の別の保持手段を示すクラッカー本体の展開図である。
【図８】本発明の他の実施形態のクラッカーを示す図面で、（ａ）は正面図、（ｂ）は側面図、（ｃ）は背面図である。
【図９】図８に示すクラッカーのクラッカー本体の展開図である。
【図１０】本発明の更に他の実施形態のクラッカーを示す図面で、（ａ）は正面図、（ｂ）は側面図、（ｃ）は背面図である。
【図１１】図１０に示すクラッカーのクラッカー本体の展開図である。
【図１２】本発明の更にまた他の実施形態のクラッカーを示す図面で、（ａ）は正面図、（ｂ）は側面図、（ｃ）は背面図、（ｄ）は平面図である。
【図１３】図１２に示すクラッカーのクラッカー本体の展開図である。
【図１４】図１３に示すクラッカー本体の成形順序を説明する図面である。
【図１５】本発明のまた更にまた他の実施形態のクラッカーを示す図面で、（ａ）は正面図、（ｂ）は縦断側面図、（ｃ）は背面図である。
【符号の説明】
【００６２】
Ａ…クラッカー、１０…クラッカー本体、１１…台紙、１２…表面片、１３…裏面片、１４…中間片、１５…保持片、１６…蓋片、１７…差込口、１８…切欠き、１９…接着テープ、２０…火薬体、２１…引き紐、Ｂ…クラッカー、３０…クラッカー本体、３１…台紙、３２…本体片、３３…蓋片、３４…差込口、３５…挿通孔、３６…接着テープ、Ｃ…クラッカー、４０…クラッカー本体、４１…台紙、４２…裏面片、４３…表面片、４４…蓋片、４５…切込み、４６…挿通孔、４７…接着テープ、４８…接着テープ、Ｄ…クラッカー、５０…クラッカー本体、５１…台紙、５２…裏面片、５３…表面片、５３ａ…蓋部、５４…中間片、５５…保持片、５６…差込片、５７…切込み、５８…開口部、５９…係合孔、６０…接着テープ、Ｅ…クラッカー、６０…間座部材、７０…クラッカー本体、７１…蓋片、７２…接着テープ
【図１】
2006342986.tif 000003
【図２】
2006342986.tif 000004
【図３】
2006342986.tif 000005
【図４】
2006342986.tif 000006
【図５】
2006342986.tif 000007
【図６】
2006342986.tif 000008
【図７】
2006342986.tif 000009
【図８】
2006342986.tif 000010
【図９】
2006342986.tif 000011
【図１０】
2006342986.tif 000012
【図１１】
2006342986.tif 000013
【図１２】
2006342986.tif 000014
【図１３】
2006342986.tif 000015
【図１４】
2006342986.tif 000016
【図１５】
2006342986.tif 000017